(57)【要約】【課題】コップの底面が傾斜して置かれている時に、該コップへの給水を行わないようにし、患者に水がかからないようにする。【解決手段】うがい用コップ１０が載置される載置面３3が周辺の面３0より低く形成されたコップ載置部３3を有し、該コップ載置部３3に載置されたコップ１０にうがい水を供給するうがい水給水管３1を有する。コップ載置部３3の下部に、コップ１０が水平に載置されているか否かを検知する光電センサ１１，１２を有し、受光センサ１２によってコップ１０が水平に載置されていない時は、給水管３1よりの給水を遮断する。【選択図】図１
2011036584.tif 000002
【特許請求の範囲】
【請求項１】
うがい用コップが載置される載置面が周辺の面より低く形成されたコップ載置部を有し、該コップ載置部に載置されたコップにうがい水を供給するうがい水給水口を有する歯科用コップ給水装置において、前記コップ載置部の下部に、前記コップが水平に載置されているか否かを検知するセンサを有し、前記コップが水平に載置されていない時は、前記うがい水給水口よりの給水を遮断するようにしたことを特徴とする歯科用コップ給水装置。
【請求項２】
前記センサは、発光素子と受光素子とからなる光電センサであることを特徴とする請求項１に記載の歯科用うがいコップ給水装置。
【請求項３】
前記コップ載置部又はその近傍に発光素子を有し、該発光素子は、前記センサがコップが水平に載置されていることを検知した時に点灯することを特徴とする請求項１又は２に記載の歯科用うがいコップ給水装置。
【発明の詳細な説明】
【技術分野】
【０００１】
本発明は、歯科用うがいコップに給水するための装置、より詳細には、うがい用コップが所定の位置に置かれていない時（コップが傾いて置かれている時）には、該コップへの給水をしないようにして、コップが倒れて患者に水がかからないようにしたものである。
【背景技術】
【０００２】
図２は、本発明が適用されるうがい用コップにうがい水を供給する装置を備えた歯科治療ユニットの一例（特許文献１）を説明するための概略構成図で、歯科治療ユニットは、治療椅子１，ワークテーブル２，うがい水給水管３1，うがい鉢３2等を含むうがい装置３，スピットン本体４，インスツルメントホルダ５，フットスイッチ６，アシスタントインスツルメントホルダ７等から成り、インスツルメントホルダ５には、歯科治療において使用する種々のインスツルメント８が収納されており、周知のように、歯科治療に当り、患者は治療椅子１に座り、頭を安頭台９に固定して治療を受ける。治療中、術者は治療椅子１を上下動，倒起動，傾斜動等させて、患者を治療しやすい姿勢にして治療を行う。
【０００３】
うがい装置３は、うがい水を噴出するためのうがい水給水管３1，患者がうがいした後のうがい水を吐出するためのうがい鉢３2，うがい水給水時にうがい用のコップ１０を置くコップ置き部３3，コップ１０から漏れ出した水をうがい鉢３2に流す溝（流路）３4等から成り、通常は、図２に示したように、スピットン本体４の上部に図示のように取り付けられており、うがい時、うがい用のコップ１０をコップ置き部３3に置き、うがい水給水管３1より該コップ１０にうがい水を供給するようにしている。
【発明の概要】
【発明が解決しようとする課題】
【０００４】
上述のように、歯科治療においては、うがい時、うがい用コップにうがい水を供給することが行われているが、コップ置き部に段差があるような場合、間違って、該段差部にうがい用コップが置かれ、該コップが傾斜している状態で給水がなされると、コップが倒れてしまう場合があり、患者に水がかかってしまう等の問題があった。
【０００５】
本発明は、上述のごとき実情に鑑みてなされたもので、コップが正しく置かれている時（コップの底面が水平になっている時）のみ、コップへの給水を可能にし、コップの底面が傾斜して置かれている時は、該コップへの給水を行わないようにすることを目的としてなされたものである。
【課題を解決するための手段】
【０００６】
本発明は、上記課題を解決するために、請求項１の発明は、うがい用コップが載置される載置面が周辺の面より低く形成されたコップ載置部を有し、該コップ載置部に載置されたコップにうがい水を供給するうがい水給水口を有する歯科用コップ給水装置において、前記コップ載置部の下部に、前記コップが水平に載置されているか否かを検知するセンサを有し、前記コップが水平に載置されていない時は、前記うがい水給水口よりの給水を遮断するようにしたことを特徴としたものである。
【０００７】
請求項２の発明は、請求項１の発明において、前記センサは、発光素子と受光素子とからなる光電センサであることを特徴としたものである。
【０００８】
請求項３の発明は、請求項１又は２の発明において、前記コップ載置部又はその近傍に発光素子を有し、該発光素子は、前記センサがコップが水平に載置されていることを検知した時に点灯することを特徴としたものである。
【発明の効果】
【０００９】
本発明は、上述のごとき実情に鑑みてなされたもので、コップが正しく置かれている時（コップの底面が水平になっている時）のみ、コップへの給水を可能にし、コップの底面が傾斜して置かれている時は、該コップへの給水を行わないようにしたので、うがいコップがうがいコップ置き部に傾斜して載置されたような場合には、該コップにうがい水が供給されないので、該コップが倒れて患者に水がかかるようなことはない。
【図面の簡単な説明】
【００１０】
【図１】本発明による歯科用うがいコップ給水装置の一実施例を説明するための要部断面構成図である。
【図２】本発明が適用される歯科治療ユニットの一例を説明するための図である。
【発明を実施するための形態】
【００１１】
図１は、本発明によるうがいコップ給水装置の一実施例を説明するための要部断面構成図で、本発明が適用されるうがいコップ１０の置き部３3の面は、その周辺の面３０より低く形成されており、コップ１０がこのコップ置き部３3に正常に置かれている時（実線表示）は、該コップ１０の底面は水平に保たれているが、段差部にかかって置かれる（破線表示）と、底面が傾斜する。
【００１２】
１１，１２は、コップ１０が水平に（正しく）置かれているか、傾斜して置かれているかを検出するための周知の光電センサで、例えば、１１が発光素子、１２が受光素子である。コップ１０が水平に（正しく）置かれている時は、発光素子１１から放射された光は、コップ１０の底面で反射され、その反射光が受光素子１２で検出され、コップ１０が正しく（水平に）置かれていることを検出する。しかし、コップ１０が傾斜して置かれている時は、発光素子１１から放射された光は、受光素子１２で検出することができず、これにより、コップ１０が傾斜して置かれていることが検知される。
【００１３】
上述のように、本発明においては、うがい用コップがコップ置き場に正しく（水平に）置かれているか、傾斜して置かれているかを検知することができ、コップが傾斜して置かれている時は、該コップに給水しないようにする（うがい水給水管３１への給水路を遮断する）ことによって、患者へ水がかからないようにしたものである。
【００１４】
コップ１０が水平に置かれている時は、勿論、コップ１０への給水は可能であるが、この時、つまり、受光素子１２が受光している時に、コップ置き場の近傍に予め設けておいた、例えば、ＬＥＤ等の発光素子を点灯するようにすると、患者にコップが正しく置かれていることを分りやすく示すことができる。
【００１５】
１１’は発光素子１１のレンズ、１２’は受光素子１２のレンズで、これらレンズ１１’、１２’のレンズ面をコップ載置面３3から１段下った面３’3から、カバー等することなく直接出すようにすることにより、光電素子１１，１２を水の影響を受けることなく配設することができる。
【００１６】
なお、コップ１０にうがい水が所定量供給されたか否かは、例えば、周知のように、うがい水給水管３1に取り付けた超音波センサを用い、超音波発振器から発信され、コップ１０内の水面で反射されて戻ってくる超音波を超音波受信器で受信し、その間の時間を計測することによって検出する。
【００１７】
上述のように、本発明によると、歯科用うがいコップにうがい水を供給する際、うがいコップが傾斜して載置されている場合（及びうがいコップが載置されていない場合）には、該うがいコップにうがい水が供給されないので、うがいコップが倒れても患者にうがい水がかかるような心配はない。
【符号の説明】
【００１８】
３…うがい装置、３１…うがい水給水管、３2…うがい鉢、３3…うがいコップ置き部（コップ置き面）、３’２…コップ置き部の周辺の面、３４…うがい水用溝、１０…コップ、１１…発光素子、１２…受光素子。
【図１】
2011036584.tif 000003
【図２】
2011036584.tif 000004